(57)【要約】      （修正有）【課題】デザイン性に優れ、激しい動きをしても腹部が露出することなく、着用しやすく、トップスとスパッツが分離することのない、商品管理が容易なワンピース水着を提供する。【解決手段】前身頃８の中央部を開閉できるファスナが取付けられたトップス本体１０、このトップス本体の前身頃８および後身頃５の内側部位に縫着された下端部が、該トップス本体の下端部より上部に位置する裏地とからなるトップスと、このトップスの裏地の下端部に上部を縫着されたスパッツ４とでワンピース水着を構成している。【選択図】図４
0003155124.tif 000002
【実用新案登録請求の範囲】
【請求項１】
前身頃の中央部を開閉できるファスナが取付けられたトップス本体、このトップス本体の前身頃および後身頃の内側部位に縫着された下端部が、該トップス本体の下端部より上部に位置する裏地とからなるトップスと、このトップスの裏地の下端部に上部を縫着されたスパッツとからなるワンピース水着。
【請求項２】
裏地は前身頃に設けられる左右のカップの下部位置まで位置する前身頃と後身頃に縫着される上部裏地と、この上部裏地の下端部に縫着されたトップス本体の下端部より内側に下端部が位置する、該トップス本体の布地と同じ布地の下部裏地とで構成されていることを特徴とする請求項１記載のワンピース水着。
【考案の詳細な説明】
【技術分野】
【０００１】
本考案はトップスとスパッツとからなるワンピース水着に関する。
【背景技術】
【０００２】
従来、ワンピース水着はトップスとパンツが一体となっているので、激しい動きにも水着のズレを気にすることなく快適に泳ぐことができるが、トップスとパンツが一体となっているため、デザイン性に欠けるという欠点があった。
これに対し、トップスとパンツを別にしたセパレート水着はデザイン性に優れているが、激しい動きをした時に腹部が露出してしまうという欠点があった。
【先行技術文献】
【特許文献】
【０００３】
【特許文献１】特開２００７−１８６８２９
【考案の概要】
【考案が解決しようとする課題】
【０００４】
本考案は以上のような従来の欠点に鑑み、デザイン性に優れ、激しい動きをしても腹部が露出することなく、着用しやすく、トップスとスパッツが分離することのない、商品管理が容易なワンピース水着を提供することを目的としている。
【０００５】
本考案の前記ならびにそのほかの目的と新規な特徴は次の説明を添付図面と照らし合わせて読むと、より完全に明らかになるであろう。
【０００６】
ただし、図面はもっぱら解説のためのものであって、本考案の技術的範囲を限定するものではない。
【課題を解決するための手段】
【０００７】
上記目的を達成するために、本考案は前身頃の中央部を開閉できるファスナが取付けられたトップス本体、このトップス本体の前身頃および後身頃の内側部位に縫着された下端部が、該トップス本体の下端部より上部に位置する裏地とからなるトップスと、このトップスの裏地の下端部に上部を縫着されたスパッツとでワンピース水着を構成している。
【考案の効果】
【０００８】
以上の説明から明らかなように、本考案にあっては次に列挙する効果が得られる。
（１）トップス本体の下端部より上部に位置する裏地の下端部にスパッツの上部を縫着しているので、見た目はセパレート水着に見せることができ、かつ、トップスとスパッツとが一体になっているため、分離されず、商品管理が容易にできる。
（２）前記（１）によって、トップス本体の下端部が激しい動きをしてめくれ上がっても、スパッツの上部あるいは裏地が見えるだけで、腹部が露出するのを確実に防止することができる。
（３）前記（１）によって、スパッツの上部を裏地の下端部に縫着しているので、トップス本体にはスパッツを逢着している状態は現れず、完全にセパレート水着として見せることができる。
（４）請求項２も前記（１）〜（３）と同様な効果が得られるとともに、トップス本体の下端部がめくれても、下部裏地がトップス本体と同じ布地であるので、めくれた状態でも違和感なく見せることができる。
【図面の簡単な説明】
【０００９】
【図１】本考案を実施するための第１の形態の正面図。
【図２】本考案を実施するための第１の形態の側面図。
【図３】本考案を実施するための第１の形態の背面図。
【図４】図１の４−４線に沿う断面図。
【図５】本考案を実施するための第１の形態の裏地とスパッツの取付け状態の説明図。
【図６】本考案を実施するための第１の形態のトップスの下端部がめくれた状態の説明図。
【図７】本考案を実施するための第２の形態の正面図。
【図８】本考案を実施するための第２の形態の側面図。
【図９】図７の９−９線に沿う断面図。
【図１０】本考案を実施するための第３の形態の正面図。
【図１１】本考案を実施するための第３の形態の側面図。
【図１２】本考案を実施するための第３の形態の裏地とスパッツの取付け状態の説明図。
【考案を実施するための形態】
【００１０】
以下、図面に示す本考案を実施するための形態により、本考案を詳細に説明する。
【００１１】
図１ないし図６に示す本考案を実施するための第１の形態において、１は本考案のセパレート水着として見えるワンピース水着で、このワンピース水着１はトップス２と、このトップス２の下端部より下端部が上部に位置する裏地３の下端部に縫着されたウエストバンドのないスパッツ４とで構成されている。
【００１２】
前記トップス２は後身頃５、中央部にファスナ６が取付けられ、左右の内側にカップ７、７が設けられた前身頃８、この前身頃８の両端部と前記後身頃５の両端部との間に縫着された両脇腹布９、９とからなるトップス本体１０と、このトップス本体１０の前身頃８のカップ７、７を覆うとともに、該部位の前記後身頃５部位を覆うように逢着された上部裏地１１および、この上部裏地１１の下端部に縫着された下端部が前記トップス本体１０の下端部より上部に位置する、該トップス本体１０と同じ布地の筒状の下部裏地１２とからなる裏地３とで構成されている。
【００１３】
前記スパッツ４は裏地１３を備える前身頃１４と後身頃1５とを縫着して構成されている。
【００１４】
上記構成のワンピース水着１はファスナ６を下部位置へ移動させ、トップス本体１０の前部を開放する。
【００１５】
しかる後、トップス２の開口部より下部裏地１２、スパッツ４内へ両足を挿入し、スパッツ４部分を上方へ引き上げるとともに、トップス２の袖開口部１６、１６に腕を通した後、ファスナ６を上方へ移動させて閉じることにより、楽に着用することができる。
【００１６】
この状態では着用者の身体はスパッツ４、筒状の下部裏地１２およびトップス本体１０によって覆われているため、激しく動いてトップス本体１０の下端部がめくれても、その内側に下部裏地１２が位置しているため、腹部が露出したりするのを確実に防止できる。
【００１７】
また、下部裏地１２にトップス本体１０と同じ布地を用いることにより、トップス本体１０の下端部がめくれて下部裏地１２が見えても、違和感が生ずることなく、安全で、楽しく着用することができる。
【００１８】
さらに、スパッツ４の上端部を下部裏地１２の下端部に逢着しているので、スパッツ４の上部にウエストバンドを設けることなく、直接縫着できるので、安価に製造することができる。  
【００１９】
[考案を実施するための異なる形態]
次に、図７ないし図１２に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００２０】
図７ないし図９に示す本考案を実施するための第２の形態において、前記本考案を実施するための第１の形態と主に異なる点は、袖開口部１６、１６に袖１７、１７を縫着したトップス２Ａを用いた点で、このようなトップス２Ａを用いて構成したワンピース水着１Ａにしても、前記本考案を実施するための第１の形態と同様な作用効果が得られる。
【００２１】
図１０ないし図１２に示す本考案を実施するための第３の形態において、前記本考案を実施するための第１の形態と主に異なる点は、上部裏地１１と下部裏地１２Ａとを同じ布地を用いて一体形成した裏地３Ａを使用したトップス２Ｂを用いた点で、このようなトップス２Ｂを用いて構成したワンピース水着１Ｂにしても、前記本考案を実施するための第１の形態と同様な作用効果が得られる。
【産業上の利用可能性】
【００２２】
本考案はセパレーツ水着やワンピース水着を製造する産業で利用される。
【符号の説明】
【００２３】
１、１Ａ、１Ｂ：ワンピース水着、
２、２Ａ、２Ｂ：トップス、  ３、３Ａ：裏地、
４：スパッツ、                    ５：後身頃、  
６：ファスナ、                    ７：カップ、
８：前身頃、                      ９：脇腹布、
１０：トップス本体、            １１：上部裏地、
１２、１２Ａ：下部裏地、        １３：裏地、
１４：前身頃、                  １５：後身頃、
１６：袖開口部、                １７：袖。
【図１】
0003155124.tif 000003
【図２】
0003155124.tif 000004
【図３】
0003155124.tif 000005
【図４】
0003155124.tif 000006
【図５】
0003155124.tif 000007
【図６】
0003155124.tif 000008
【図７】
0003155124.tif 000009
【図８】
0003155124.tif 000010
【図９】
0003155124.tif 000011
【図１０】
0003155124.tif 000012
【図１１】
0003155124.tif 000013
【図１２】
0003155124.tif 000014